(57)【要約】【課題】  インターフェイス回路の検査を正確、かつ、高速に行うことができる検査装置及び検査方法を提供すること。【解決手段】  インターフェイス回路１０１のガンマ特性曲線Ｇを傾きに応じて区画される第１〜第３の範囲Ｒ１〜Ｒ３のそれぞれのガンマ特性曲線Ｇ上の１点に対する入力映像信号の値である第１〜第３の入力値をインターフェイス回路１０１に入力する信号生成部１３と、前記第１のＲ，Ｇ，Ｂ出力値のうちいずれか２個の出力値の差分と、前記第２のＲ，Ｇ，Ｂ出力値のうちいずれか２個の出力値の差分と、前記第３のＲ，Ｇ，Ｂ出力値のうちいずれか２個の出力値の差分とのうちいずれか１つの差分が閾値Ｘより大きい場合、インターフェイス回路１０１を不良品と判定するＣＰＵ１５とを備える。【選択図】      図１
2006074156.tif 000002
【特許請求の範囲】
【請求項１】
入力映像信号に対してガンマ補正を施し、表示装置に出力するインターフェイス回路を検査する検査装置であって、
前記インターフェイス回路のガンマ特性曲線の傾きに応じて区画される複数の範囲のうち、少なくとも１の範囲における前記ガンマ特性曲線上の１点に対する入力映像信号の値を入力値として前記インターフェイス回路に入力する入力手段と、
前記入力値に対して前記インターフェイス回路から出力されるＲ，Ｇ，Ｂ出力値を受信する受信手段と、
前記Ｒ，Ｇ，Ｂ出力値のうち、いずれか２個の出力値の差分が所定の値より大きい場合、前記インターフェイス回路を不良品と判定する判定手段とを備えることを特徴とする検査装置。
【請求項２】
前記ガンマ特性曲線は、傾きに応じて第１〜第３の範囲に区画され、
前記入力手段は、第１〜第３の範囲のそれぞれにおける前記ガンマ特性曲線上の１点に対する入力映像信号の値である第１〜第３の入力値を前記インターフェイス回路に入力し、
前記受信手段は、第１〜３の入力値のそれぞれに対して前記インターフェイス回路から出力される第１のＲ，Ｇ，Ｂ出力値、第２のＲ，Ｇ，Ｂ出力値、及び第３のＲ，Ｇ，Ｂ出力値を受信し、
前記判定手段は、前記第１のＲ，Ｇ，Ｂ出力値のうちいずれか２個の出力値の差分と、前記第２のＲ，Ｇ，Ｂ出力値のうちいずれか２個の出力値の差分と、前記第３のＲ，Ｇ，Ｂ出力値のうちいずれか２個の出力値の差分とのうちいずれか１つの差分が所定の値より大きい場合、前記インターフェイス回路を不良品と判定することを特徴する請求項１記載の検査装置。
【請求項３】
前記入力手段は、区画されたガンマ特性曲線の複数の範囲のうち、傾きが最大の範囲における前記ガンマ特性曲線上の１点に対する入力映像信号の値を前記入力値として前記インターフェイス回路に入力することを特徴とする請求項１記載の検査装置。
【請求項４】
前記入力値は、対応する範囲における入力映像信号の中間値であることを特徴とする請求項１〜３のいずれかに記載の検査装置。
【請求項５】
入力映像信号に対してガンマ補正を施し、表示装置に出力するインターフェイス回路を検査する検査方法であって、
前記インターフェイス回路のガンマ特性曲線の傾きに応じて区画される複数の範囲のうち、少なくとも１の範囲における前記ガンマ特性曲線上の１点に対する入力映像信号の値を入力値として前記インターフェイス回路に入力するステップと、
前記入力値に対して前記インターフェイス回路から出力されるＲ，Ｇ，Ｂ出力値を受信するステップと、
前記Ｒ，Ｇ，Ｂ出力値のうち、いずれか２個の出力値の差分が所定の値より大きい場合、前記インターフェイス回路を不良品と判定するステップとを備えることを特徴とする検査方法。
【発明の詳細な説明】
【技術分野】
【０００１】
本発明は、受信した映像信号にガンマ補正を施し表示装置に出力するインターフェイス回路を検査する技術に関するものである。
【背景技術】
【０００２】
図１２は、カーナビゲーションシステム１００のインターフェイス回路１０１の検査時における機器構成を示したブロック図である。インターフェイス回路１０１は、例えば制御装置１０３から、Ｒ（赤），Ｇ（緑），Ｂ（青）の映像信号（入力映像信号）を受信してガンマ補正を施し、補正されたＲ，Ｇ，Ｂの映像信号（出力映像信号）を表示装置１０２に出力し、表示装置１０２は出力映像信号による画像を表示する。
【０００３】
検査装置１０は、ケーブルＣを介してコネクタ１０５に接続され、インターフェイス回路１０１の入力映像信号と出力映像信号との関係を示すガンマ特性曲線のダイナミックレンジを均等に１０個の範囲に区画することにより、入力映像信号の値から定められる第１〜第１０階調値をインターフェイス回路１０１に出力する。インターフェイス回路１０１は、第１〜第１０階調値に対しガンマ補正を施し、第１〜第１０のＲ，Ｇ，Ｂ出力値を検査装置１０に対して出力する。第１〜第１０のＲ，Ｇ，Ｂ出力値を受信した検査装置１０は、第１〜第１０のＲ，Ｇ，Ｂ入力値と第１〜第１０のＲ，Ｇ，Ｂ出力値との関係をグラフ化してモニタに表示する。
【０００４】
図１３は、モニタに表示されるグラフを示し、（ａ）〜（ｃ）はそれぞれＲ，Ｇ，Ｂに対応している。図１３では、第１〜第１０のＲ，Ｇ，Ｂ出力値Ｏ１〜Ｏ１０のうちの第１〜第７のＲ，Ｇ，Ｂ出力値Ｏ１〜Ｏ７を示している。図１３の例では、第１〜第７のＧ出力値Ｏ１〜Ｏ７及び第１〜第７のＢ出力値Ｏ１〜Ｏ７はそれぞれ一致しているが、第５及び第６のＲ出力値Ｏ５，Ｏ６は第５及び第６のＧ，Ｂ出力値Ｏ５，Ｏ６よりも高く、Ｒの出力映像信号とＧ及びＢの出力映像信号とにばらつきがあることが分かる。
【０００５】
そして、検査員は、このずれが一定の許容範囲を超えるか否かを目視により確認し、このずれが一定の許容範囲を超える場合、インターフェイス回路１０１を不良品と判定していた。また、本発明に関連する技術として特許文献１が知られている。
【特許文献１】特開平７−２１２７９０号公報
【発明の開示】
【発明が解決しようとする課題】
【０００６】
しかしながら、従来の検査手法では、不良品の判定の有無が検査員の判断に委ねられていたため、検査員の主観により検査結果が左右されやすく、インターフェイス回路１０１が不良品であるか否かの客観的な検査結果を得ることができないという問題があった。また、第１〜第１０のＲ，Ｇ，Ｂ出力値を比較しなければならなかったため、検査に時間がかかるという問題があった。
【０００７】
本発明の目的は、インターフェイス回路が不良品であるか否かの検査を正確、かつ、高速に行うことができる検査装置及び検査方法を提供することである。
【課題を解決するための手段】
【０００８】
本発明にかかる検査装置は、入力映像信号に対してガンマ補正を施し、表示装置に出力するインターフェイス回路を検査する検査装置であって、前記インターフェイス回路のガンマ特性曲線の傾きに応じて区画される複数の範囲のうち、少なくとも１の範囲における前記ガンマ特性曲線上の１点に対する入力映像信号の値を入力値として前記インターフェイス回路に入力する入力手段と、前記入力値に対して前記インターフェイス回路から出力されるＲ，Ｇ，Ｂ出力値を受信する受信手段と、前記Ｒ，Ｇ，Ｂ出力値のうち、いずれか２個の出力値の差分が所定の値より大きい場合、前記インターフェイス回路を不良品と判定する判定手段とを備えることを特徴とする。
【０００９】
また、上記検査装置において、前記ガンマ特性曲線は、傾きに応じて第１〜第３の範囲に区画され、前記入力手段は、第１〜第３の範囲のそれぞれにおける前記ガンマ特性曲線上の１点に対する入力映像信号の値である第１〜第３の入力値を前記インターフェイス回路に入力し、前記受信手段は、第１〜３の入力値のそれぞれに対して前記インターフェイス回路から出力される第１のＲ，Ｇ，Ｂ出力値、第２のＲ，Ｇ，Ｂ出力値、及び第３のＲ，Ｇ，Ｂ出力値を受信し、前記判定手段は、前記第１のＲ，Ｇ，Ｂ出力値のうちいずれか２個の出力値の差分と、前記第２のＲ，Ｇ，Ｂ出力値のうちいずれか２個の出力値の差分と、前記第３のＲ，Ｇ，Ｂ出力値のうちいずれか２個の出力値の差分とのうちいずれか１つの差分が所定の値より大きい場合、前記インターフェイス回路を不良品と判定することが好ましい。
【００１０】
また、上記検査装置において、前記入力手段は、区画されたガンマ特性曲線の複数の範囲のうち、傾きが最大の範囲における前記ガンマ特性曲線上の１点に対する入力映像信号の値を前記入力値として前記インターフェイス回路に入力することが好ましい。
【００１１】
また、上記検査装置において、前記入力値は、対応する範囲における入力映像信号の中間値であることが好ましい。
【００１２】
本発明にかかる検査方法は、入力映像信号に対してガンマ補正を施し、表示装置に出力するインターフェイス回路を検査する検査方法であって、前記インターフェイス回路のガンマ特性曲線の傾きに応じて区画される複数の範囲のうち、少なくとも１の範囲における前記ガンマ特性曲線上の１点に対する入力映像信号の値を入力値として前記インターフェイス回路に入力するステップと、前記入力値に対して前記インターフェイス回路から出力されるＲ，Ｇ，Ｂ出力値を受信するステップと、前記Ｒ，Ｇ，Ｂ出力値のうち、いずれか２個の出力値の差分が所定の値より大きい場合、前記インターフェイス回路を不良品と判定するステップとを備えることを特徴とする。
【発明の効果】
【００１３】
請求項１及び５記載の発明によれば、インターフェイス回路のガンマ特性曲線がその傾きに応じて複数の範囲に区画され、区画された複数の範囲のうち少なくとも１つ範囲のガンマ特性曲線上の１点に対する入力映像信号の値が入力値として、インターフェイス回路に入力されている。そして、入力値に対するＲ，Ｇ，Ｂ出力値のうち、いずれか２個の出力値の差分が所定の値より大きいか否によりインターフェイス回路の良品・不良品の判定が行われている。ここで、ガンマ特性曲線は、それぞれ傾きが異なる複数の直線によって近似され、傾きに応じて複数の範囲に区画することが可能である。そのため、傾きを同一とする範囲内においては、ガンマ特性曲線上の１点に対する入力映像信号の値のみを入力値として入力し、その入力値に対するＲ，Ｇ，Ｂ出力値を比較すれば、その範囲内における映像信号のＲ，Ｇ，Ｂ毎のばらつきの有無を判定することが可能となる。
【００１４】
そのため、従来のように検査員が目視により判定していた態様に比べ、客観的な評価が可能となりインターフェイス回路が不良品であるか否かの検査を正確に行うことができる。また、従来のように１０個の入力値に対するＲ，Ｇ，Ｂ出力値を比較するのではなく、複数の範囲の少なくとも１個の範囲のガンマ特性曲線上の１点に対する入力映像信号の値のＲ，Ｇ，Ｂ出力値を比較することで、不良品か否かの判定を行っているため、検査の高速化を図ることができる。
【００１５】
請求項２記載の発明によれば、ガンマ特性曲線が第１〜第３の範囲に区画され、各範囲内のガンマ特性曲線上の１点に対する入力映像信号の値である第１〜第３の入力値がインターフェイス回路に入力される。そして、第１〜第３の入力値に対するＲ，Ｇ，Ｂ出力値が出力され、第１のＲ，Ｇ，Ｂ出力値のうちいずれか２個の出力値の差分、第２のＲ，Ｇ，Ｂ出力値のうちいずれか２個の出力値の差分、及び第３のＲ，Ｇ，Ｂ出力値のうちいずれか２個の出力値の差分が算出される。ここで、インターフェイス回路のガンマ特性曲線は、それぞれ傾きが異なる３種類の直線によって近似されるのが一般的であり、しかも、第１〜第３の各範囲に対応する第１〜第３のＲ，Ｇ，Ｂ出力値を用いて不良品の有無の判定がなされているため、検査の正確性をより高めることができる。
【００１６】
請求項３記載の発明によれば、ガンマ特性曲線において、区画された複数の範囲のうち、傾きが最大の範囲におけるガンマ特性曲線上の１点に対する入力映像信号の値が入力値とされているため、誤差に対する影響が高い領域のばらつきの判定が少なくともなされる結果、検査の正確性を確保しつつ、検査の高速化を図ることができる。
【００１７】
請求項４記載の発明によれば、入力値が、対応する範囲における入力映像信号の中間値とされているため、各範囲における１点を正確に特定することができる。
【発明を実施するための最良の形態】
【００１８】
（第１実施形態）
以下、本発明の第１実施形態による検査装置をカーナビゲーションシステムに接続した場合を説明する。図１は、カーナビゲーションシステムに検査装置を接続したときのブロック図を示している。図１に示すブロック図は、図１２に示すブロック図と一部重複するため、相違する部分のみ説明する。インターフェイス回路１０１は、ＴＦＴカラー液晶用インターフェイスＩＣであり、シャープ社製、ＩＲ３Ｙ２６Ａが用いられている。ＩＲ３Ｙ２６Ａはガンマ補正回路を内蔵している。表示装置１０２は、ＴＦＴ（thin film transistor）液晶パネルが用いられている。
【００１９】
制御装置１０３は、ＣＰＵ等を含み、カーナビゲーションシステムの制御を行う。周辺装置１０４は、地図データを記憶するＤＶＤ（digital versatile disk）及び当該ＤＶＤに記録されたデータを読み出す記録媒体駆動装置等、カーナビゲーションシステムを実現するための種々の装置が含まれる。
【００２０】
コネクタ１０５は、検査装置１０から出力される種々の信号をケーブルＣを介して受信すると共に、インターフェイス回路１０１から出力される種々の信号をケーブルＣに出力する。
【００２１】
検査装置１０は、モニタ１１、操作部１２、信号生成部１３、コネクタ１４、ＣＰＵ１５、ＲＯＭ１６、ＲＡＭ１７、及び最大値調整部１８を備える。モニタ１１は、液晶表示パネル等から構成され、ＣＰＵ１５の制御の下、インターフェイス回路１０１に対する検査結果等を示す種々の画像を表示する。操作部１２は、キーボード、テンキー等を備え、検査員が検査装置１０に対して種々の操作指令を入力する際に使用される。
【００２２】
信号生成部１３は、ＣＰＵ１５の制御の下、インターフェイス回路１０１を検査するためのＲ，Ｇ，Ｂ毎の映像信号を生成し、コネクタ１４及びケーブルＣを介してインターフェイス回路１０１に出力する。
【００２３】
図２は、インターフェイス回路１０１のガンマ特性曲線を示したグラフであり、縦軸はインターフェイス回路１０１から出力される出力映像信号の電圧値を示し、横軸はインターフェイス回路１０１に入力される入力映像信号の階調値を示している。本検査装置１０は、インターフェイス回路１０１に１０段階の階調値（以下、第１〜第１０階調値と称する）を入力することが可能である。
【００２４】
信号生成部１３は、図２に示すガンマ特性曲線Ｇを傾きに応じて区画し、区画した第１〜第３の範囲Ｒ１〜Ｒ３のそれぞれのガンマ特性曲線Ｇ上の中間点Ｍ１〜Ｍ３に対して最も近い階調値を第１〜第３の入力値Ｉ１〜Ｉ３として、Ｒ，Ｇ，Ｂ映像信号毎にインターフェイス回路１０１に出力する。具体的には、中間点Ｍ１は、第１の階調値に最も近いため、第１の階調値を第１の入力値Ｉ１として採用する。また、中間点Ｍ２は、第５の階調値に最も近いため、第５の階調値を第２の入力値Ｉ２として採用する。さらに、中間点Ｍ３は、第９の階調値に最も近いため、第９の階調値を第３の入力値Ｉ３として採用する。
【００２５】
ここで、Ｒに対する第１〜第３の入力値Ｉ１〜Ｉ３を第１〜第３の入力値ＩＲ１〜ＩＲ３と表し、Ｇに対する第１〜第３の入力値Ｉ１〜Ｉ３を第１〜第３の入力値ＩＧ１〜ＩＧ３と表し、Ｂに対する第１〜第３の入力値Ｉ１〜Ｉ３を第１〜第３の入力値ＩＢ１〜ＩＢ３と表す。また、ＩＲ１＝ＩＧ１＝ＩＢ１、ＩＲ２＝ＩＧ２＝ＩＢ２、ＩＲ３＝ＩＧ３＝ＩＢ３である。
【００２６】
第１〜第３の入力値Ｉ１〜Ｉ３は、インターフェイス回路１０１によりガンマ補正が施され、第１〜第３の出力値Ｏ１〜Ｏ３として検査装置１０に出力される。以下、Ｒに対する第１〜第３の出力値Ｏ１〜Ｏ３を第１〜第３の出力値ＯＲ１〜ＯＲ３と表し、Ｇに対する第１〜第３の出力値Ｏ１〜Ｏ３を第１〜第３の出力値ＯＧ１〜ＯＧ３と表し、Ｂに対する第１〜第３の出力値Ｏ１〜Ｏ３を第１〜第３の出力値ＯＢ１〜ＯＢ３と表す。
【００２７】
図１に示すコネクタ１４は、検査装置１０で生成される種々の信号をケーブルＣに出力すると共に、インターフェイス回路１０１から出力された種々の信号をケーブルＣを介して受信する。
【００２８】
ＣＰＵ１５は、インターフェイス回路１０１から出力された第１〜第３の出力値Ｏ１〜Ｏ３を基に、インターフェイス回路１０１が不良品であるか否かを判定する。また、ＣＰＵ１５は、ＲＯＭ１６に記憶された制御プログラムを実行し、検査装置１０全体を制御する。ＲＯＭ１６は、制御プログラム等を記憶する。ＲＡＭ１７は、ＣＰＵ１５の作業領域として用いられる。
【００２９】
最大値調整部１８は、インターフェイス回路１０１に第１０階調値を出力し、インターフェイス回路１０１からＲ，Ｇ，Ｂ毎の映像信号のダイナミックレンジの最大値を出力させると共に、出力された最大値が所定の値となるように、インターフェイス回路１０１のゲインを調整する。ここで、ダイナミックレンジの最大値とは、第１０階調値に対する映像信号の出力値のことを示す。
【００３０】
なお、本実施形態では、ＣＰＵ１５が判定手段の一例に相当し、信号生成部１３及びコネクタ１４が入力手段の一例に相当し、コネクタ１４が受信手段の一例に相当する。
【００３１】
次に、図３〜図５に示すフローチャートにしたがって、検査装置１０の動作について説明する。以下の説明で閾値Ｘは、Ｘ＝０．１５Ｖとする。まず、最大値調整部１８は、インターフェイス回路１０１からＧの映像信号のダイナミックレンジの最大値ＧＭＡＸを受信し（ステップＳ１）、最大値ＧＭＡＸが３．８Ｖであるか否かを判定し（ステップＳ３）、ＧＭＡＸ＝３．８Ｖの場合（ステップＳ３でＹＥＳ）、処理をステップＳ５に進め、ＧＭＡＸ≠３．８Ｖの場合（ステップＳ３でＮＯ）、インターフェイス回路１０１のゲインを所定の値変化させ（ステップＳ４）、処理をステップＳ１に戻す。すなわち、最大値調整部１８は、最大値ＧＭＡＸが３．８Ｖとなるように、インターフェイス回路１０１のゲインを調整する。
【００３２】
ステップＳ５において、信号生成部１３は、Ｇに対する第１〜第３の入力値ＩＧ１〜ＩＧ３をインターフェイス回路１０１に出力する。ステップＳ６において、ＣＰＵ１５は、インターフェイス回路１０１から第１〜第３の入力値ＩＧ１〜ＩＧ３に対する第１〜第３の出力値ＯＧ１〜ＯＧ３を受信する。
【００３３】
ステップＳ７において、最大値調整部１８は、インターフェイス回路１０１に対しＢの映像信号のダイナミックレンジの最大値ＢＭＡＸを出力させ、最大値ＢＭＡＸを受信する。
【００３４】
ステップＳ９において、最大値調整部１８は、最大値ＢＭＡＸが、ＢＭＡＸ＝３．８Ｖであるか否かを判定し、ＢＭＡＸ＝３．８Ｖの場合（ステップＳ９でＹＥＳ）、処理をステップＳ１１に進め、ＢＭＡＸ≠３．８Ｖの場合（ステップＳ９でＮＯ）、インターフェイス回路１０１のゲインを所定の値変化させ（ステップＳ１０）、処理をステップＳ７に戻す。すなわち、最大値調整部１８は、ＢＭＡＸ＝３．８Ｖとなるようにインターフェイス回路１０１のゲインを調整する。
【００３５】
ステップＳ１１において、信号生成部１３は、Ｂに対する第１〜第３の入力値ＩＢ１〜ＩＢ３をインターフェイス回路１０１に出力する。ステップＳ１２において、ＣＰＵ１５は、第１〜第３の入力値ＩＢ１〜ＩＢ３に対する第１〜第３の出力値ＯＢ１〜ＯＢ３を受信する。
【００３６】
ステップＳ１３において、ＣＰＵ１５は、Ｂに対する第１の出力値ＯＢ１とＧに対する第１の出力値ＯＧ１との差分の絶対値が閾値Ｘ以下であるか否かを判定し、｜ＯＢ１−ＯＧ１｜≦Ｘの場合（ステップＳ１３でＹＥＳ）、処理をステップＳ１５に進める。一方、｜ＯＢ１−ＯＧ１｜＞Ｘの場合（ステップＳ１３でＮＯ）、ＣＰＵ１５は、インターフェイス回路１０１は不良品であると判定する（ステップＳ３３）。
【００３７】
ステップＳ１５において、ＣＰＵ１５は、Ｂに対する第２の出力値ＯＢ２とＧに対する第２の出力値ＯＧ２との差分の絶対値が閾値Ｘ以下であるか否かを判定し、｜ＯＢ２−ＯＧ２｜≦Ｘの場合（ステップＳ１５でＹＥＳ）、処理をステップＳ１７に進める。一方、｜ＯＢ２−ＯＧ２｜＞Ｘの場合（ステップＳ１５でＮＯ）、ＣＰＵ１５は、インターフェイス回路１０１は不良品であると判定する（ステップＳ３３）。
【００３８】
ステップＳ１７において、ＣＰＵ１５は、Ｂに対する第３の出力値ＯＢ３とＧに対する第３の出力値ＯＧ３との差分の絶対値が閾値Ｘ以下であるか否かを判定し、｜ＯＢ３−ＯＧ３｜≦Ｘの場合（ステップＳ１７でＹＥＳ）、処理をステップＳ１９に進める。一方、｜ＯＢ３−ＯＧ３｜＞Ｘの場合（ステップＳ１７でＮＯ）、ＣＰＵ１５は、インターフェイス回路１０１を不良品と判定する（ステップＳ３３）。
【００３９】
ステップＳ１９において、最大値調整部１８は、インターフェイス回路１０１に対しＲの映像信号のダイナミックレンジの最大値ＲＭＡＸを出力させ、出力された最大値ＲＭＡＸを受信する。ステップＳ２１において、最大値調整部１８は、最大値ＲＭＡＸが、ＲＭＡＸ＝３．８Ｖであるか否かを判定し、ＲＭＡＸ＝３．８Ｖの場合（ステップＳ２１でＹＥＳ）、処理をステップＳ２３に進め、ＲＭＡＸ≠３．８Ｖの場合（ステップＳ２１でＮＯ）、インターフェイス回路１０１のゲインを所定の値変化させ（ステップＳ２２）、処理をステップＳ１９に戻す。すなわち、最大値調整部１８は、ＲＭＡＸ＝３．８Ｖとなるようにインターフェイス回路１０１のゲインを調整する。
【００４０】
ステップＳ２３において、信号生成部１３は、Ｒに対する第１〜第３の入力値ＩＲ１〜ＩＲ３をインターフェイス回路１０１に出力する。ステップＳ２４において、ＣＰＵ１５は、第１〜第３の入力値ＩＲ１〜ＩＲ３に対する第１〜第３の出力値ＯＲ１〜ＯＲ３を受信する。
【００４１】
ステップＳ２５において、ＣＰＵ１５は、Ｒに対する第１の出力値ＯＲ１とＧに対する第１の出力値ＯＧ１との差分の絶対値が閾値Ｘ以下であるか否かを判定し、｜ＯＲ１−ＯＧ１｜≦Ｘの場合（ステップＳ２５でＹＥＳ）、処理をステップＳ２７に進める。一方、｜ＯＲ１−ＯＧ１｜＞Ｘの場合（ステップＳ２５でＮＯ）、ＣＰＵ１５は、インターフェイス回路１０１を不良品と判定する（ステップＳ３３）。
【００４２】
ステップＳ２７において、ＣＰＵ１５は、Ｒに対する第２の出力値ＯＲ２とＧに対する第２の出力値ＯＧ２との差分の絶対値が閾値Ｘ以下であるか否かを判定し、｜ＯＲ２−ＯＧ２｜≦Ｘの場合（ステップＳ２７でＹＥＳ）、処理をステップＳ２９に進める。一方、｜ＯＢ２−ＯＧ２｜＞Ｘの場合（ステップＳ２７でＮＯ）、ＣＰＵ１５は、インターフェイス回路１０１を不良品と判定する（ステップＳ３３）。
【００４３】
ステップＳ２９において、ＣＰＵ１５は、Ｒに対する第３の出力値ＯＢ３とＧに対する第３の出力値ＯＧ３との差分の絶対値が閾値Ｘ以下であるか否かを判定し、｜ＯＲ３−ＯＧ３｜≦Ｘの場合（ステップＳ２９でＹＥＳ）、ＣＰＵ１５はインターフェイス回路１０１を良品と判定する（ステップＳ３１）。一方、｜ＯＲ３−ＯＧ３｜＞Ｘの場合（ステップＳ２９でＮＯ）、ＣＰＵ１５はインターフェイス回路１０１を不良品と判定する（ステップＳ３３）。
【００４４】
以上説明したように、本検査装置によれば、インターフェイス回路１０１のガンマ特性曲線Ｇを傾きに応じて第１〜第３の範囲Ｒ１〜Ｒ３に分け、第１〜第３の範囲Ｒ１〜Ｒ３の中間点Ｍ１〜Ｍ３の映像信号の値を第１〜第３の入力値Ｉ１〜Ｉ３として、インターフェイス回路１０１に出力し、第１〜第３の入力値Ｉ１〜Ｉ３に対する第１〜第３の出力値Ｏ１〜Ｏ３を受信し、インターフェイス回路１０１が良品であるか不良品であるかを判定しているため、インターフェイス回路１０１が良品であるか否かを高速、かつ正確に判定することができる。
【００４５】
なお、本発明は以下の態様を採用してもよい。
【００４６】
（１）上記実施形態では、第１〜第３の入力値Ｉ１〜Ｉ３として、それぞれ、第１、第及び第９の階調値を採用したが、これに限定されず、中間点Ｍ１〜Ｍ３の各々に対応する電圧値が得られるように、階調値の値を設定してもよい。すなわち、図２のグラフにおいて、中間点Ｍ１〜Ｍ３の横軸の値が、それぞれ、第１、第５及び第９の階調値となるように、階調値の値を設定してもよい。
【００４７】
（２）第１〜第３の入力値Ｉ１〜Ｉ３のうち、いずれか１又は２個の入力値に対する検査を省略してもよい。この場合、傾きが大きく誤差に対する影響が大きい第３の範囲Ｒ３の第３の入力値Ｉ３に対する検査は少なくとも行うことが好ましい。さらに、第３の入力値Ｉ３に対する検査のみを行い、第１及び第２の入力値Ｉ１及びＩ３の検査は省略してもよい。これにより、ある程度の検査の正確性を維持しつつ、検査の高速化を図ることができる。
【００４８】
（３）上記第１実施形態では、カーナビゲーションシステム１００のインターフェイス回路１０１に対する検査を行う態様を例示したが、これに限定されず、携帯電話、ＰＤＡ等、表示装置を備える電気機器のインターフェイス回路に対する検査に本発明を適用してもよい。
【００４９】
（第２実施形態）
図６は、本発明の第２実施形態による検査装置をカーナビゲーションシステムに接続したときのブロック構成図を示している。第２実施形態の検査装置１０ａは、第１実施形態の検査装置１０に対して、映像信号のコントラスト及びブライトネス（明度）等を調整し、不良品と判断されるインターフェイス回路１０１の個数を減少させ、インターフェイス回路１０１の歩留まりの向上を図ることを可能としている。図６に示すように、第２実施形態の検査装置１０ａは、第１実施形態の検査装置１０に対して、最大値調整部１８に代えてブライトネス調整部１９及びコントラスト調整部２０を更に備えている。
【００５０】
また、検査装置１０ａは、ブライトネス調整時はインターフェイス回路１０１の動作モードをブライトネス調整モードに移行させ、コントラスト調整時は、インターフェイス回路１０１の動作モードをコントラスト調整モードに移行して、インターフェイス回路１０１のコントラスト及びブライトネスを調整する。
【００５１】
なお、インターフェイス回路１０１は、動作モードに応じて出力する映像信号の種類が異なる。以下、ブライトネス調整モードにおいて、インターフェイス回路１０１から出力される、Ｒ，Ｇ，Ｂ映像信号を、出力値ＶＲ，ＶＧ，ＶＢと称する。また、検査装置１０ａは、コントラスト調整モードにおいては、インターフェイス回路１０１から第１〜第１０階調値に対するＲ，Ｇ，Ｂ映像信号を出力させることが可能であり、以下、第１〜第１０階調値に対して出力されるＲ映像信号を出力値ＶＲ１〜ＶＲ１０と称し、第１〜第１０階調値に対して出力されるＧ映像信号を出力値ＶＧ１〜ＶＧ１０と称し、第１〜第１０階調値に対して出力されるＢ映像信号を出力値ＶＢ１〜ＶＢ１０と称する。
【００５２】
ブライトネス調整部１９は、インターフェイス回路１０１をブライトネス調整モードに移行させるための制御信号を出力し、インターフェイス回路１０１をブライトネス調整モードに移行させた後、インターフェイス回路１０１が備えるＲ，Ｇ，Ｂ映像信号のブライトネスを調整するための調整回路に制御信号を出力し、インターフェイス回路１０１から出力されるＲ，Ｇ，Ｂの映像信号のブライトネスを調整する。
【００５３】
コントラスト調整部２０は、インターフェイス回路１０１をコントラスト調整モードに移行させるための制御信号を出力し、インターフェイス回路１０１をコントラスト調整モードに移行させた後、インターフェイス回路１０１が備えるＲ，Ｇ，Ｂ映像信号のコントラストを調整するための調整回路に対して制御信号を出力し、インターフェイス回路１０１から出力されるＲ，Ｇ，Ｂ映像信号のコントラストを調整する。
【００５４】
図７〜図１１は、図６に示す検査装置１０ａの動作を示すフローチャートである。以下、図７〜図１１に示すフローチャートの従って、検査装置１０ａの動作を説明する。まず、ステップＳ１０１において、ブライトネス調整部１９は、出力値ＶＧを出力させ、当該出力値ＶＧを受信し（ステップＳ１０１）、受信した出力値ＶＧが、予め定められた値域（３．９７Ｖ以上４．０３Ｖ以下）に属するか否かを判定し（Ｓ１０２）、受信した出力値ＶＧが、前記値域に属すると判定した場合（Ｓ１０２でＹＥＳ）、処理をステップＳ１０４に進める。
【００５５】
一方、ブライトネス調整部１９は、出力値ＶＧが前記値域に属さないと判定した場合（Ｓ１０２でＮＯ）、Ｇ映像信号のブライトネスを所定値変化させ（Ｓ１０３）、処理をステップＳ１０１に戻す。すなわち、最大値調整部１８は、出力値ＶＧが、３．９７Ｖ以上４．０３Ｖ以下となるように、Ｇ映像信号のブライトネスを調整する。
【００５６】
ステップＳ１０４において、コントラスト調整部２０は、インターフェイス回路１０１に出力値ＶＧ１０を出力させ、当該出力値ＶＧ１０を受信し、受信した出力値ＶＧ１０が予め定められた値域（３．７７Ｖ以上３．８３Ｖ以下）に属するか否かを判定し（Ｓ１０５）、受信した出力値ＶＧ１０が前記値域に属すると判定した場合（Ｓ１０５でＹＥＳ）、処理をステップＳ１０７に進める。一方、コントラスト調整部２０は、出力値ＶＧ１０が前記値域に属さないと判定した場合（Ｓ１０５でＮＯ）、Ｇ映像信号のコントラストを所定値変化させ（Ｓ１０６）、処理をステップＳ１０４に戻す。すなわち、コントラスト調整部２０は、出力値ＶＧ１０が３．７７Ｖ以上３．８３Ｖ以下となるように、Ｇ映像信号のコントラストを調整する。
【００５７】
ステップＳ１０７において、ブライトネス調整部１９は、インターフェイス回路１０１に出力値ＶＢを出力させ、当該出力値ＶＢを受信する。そして受信した出力値ＶＢが予め定められた値域（３．９７Ｖ以上４．０３Ｖ以下）に属するか否かを判定し（Ｓ１０８）、出力値ＶＢが前記値域に属すると判定した場合（Ｓ１０８でＹＥＳ）、処理をステップＳ１１０に進める。一方、ブライトネス調整部１９は、出力値ＶＢが前記値域に属さないと判定した場合（Ｓ１０８でＮＯ）、Ｂ映像信号のブライトネスを所定値変化させ（Ｓ１０９）、処理をステップＳ１０７に戻す。すなわち、ブライトネス調整部２０は、出力値ＶＢが、３．９７以上４．０３以下となるように、Ｂ映像信号のブライトネスを調整する。
【００５８】
ステップＳ１１０において、コントラスト調整部２０は、インターフェイス回路１１０に出力値ＶＢ１０を出力させ、当該出力値ＶＢ１０を受信し、受信した出力値ＶＢ１０が予め定められた値域（３．７７Ｖ以上３．８３Ｖ以下）に属するか否かを判定し（Ｓ１１１）、前記値域に属する場合（Ｓ１１１でＹＥＳ）、処理をステップＳ１１３に進める。一方、コントラスト調整部２０は、受信した出力値ＶＢ１０が前記値域に属さないと判定した場合（Ｓ１１１でＮＯ）、Ｂ映像信号のコントラストを所定値変化させ（Ｓ１１２）、処理をステップＳ１１０に戻す。すなわち、コントラスト調整部２０は、出力値ＶＢ１０が３．７７以上３．８３以下となるように、Ｂ映像信号のコントラストを調整する。
【００５９】
ステップＳ１１３において、ブライトネス調整部１９は、インターフェイス回路１０１に出力値ＶＲを出力させ、当該出力値ＶＲを受信し、受信した出力値ＶＲが予め定められた値域（３．９７Ｖ以上４．０３Ｖ以下）に属するか否かを判定し（Ｓ１１４）、出力値ＶＲが前記値域に属すると判定した場合（Ｓ１１４でＹＥＳ）、処理をステップ１１６に進める。一方、ブライトネス調整部１９は、出力値ＶＲが前記値域に属さないと判定した場合（Ｓ１１４でＮＯ）、Ｒ映像信号のブライトネスを変化させ（Ｓ１１５）、処理をステップＳ１１３に戻す。すなわち、ブライトネス調整部１９は、出力値ＶＲが３．９７以上４．０３以下となるように、Ｒ映像信号のブライトネスを調整する。
【００６０】
ステップＳ１１６において、コントラスト調整部２０は、インターフェイス回路１０１に出力値ＶＲ１０を出力させ、当該出力値ＶＲ１０を受信し、受信した出力値ＶＲ１０が予め定められた値域（３．７７Ｖ以上３．８３Ｖ以下）に属するか否かを判定し（Ｓ１１７）、出力値ＶＲ１０が前記値域に属すると判定した場合（Ｓ１１７でＹＥＳ）、処理をステップＳ１１９に進める。一方、コントラスト調整部２０は、出力値ＶＲ１０が前記値域に属さないと判定した場合（Ｓ１１７でＮＯ）、Ｒ映像信号のコントラストを所定値変化させ（Ｓ１１８）、処理をステップＳ１１６に戻す。
【００６１】
以上、ステップＳ１０１〜ステップＳ１１８までの処理が調整工程となる。続いて、検査工程に移行する。
【００６２】
ステップＳ１１９において、信号生成部１３は、インターフェイス回路１０１に出力値ＶＲ２、ＶＧ２、ＶＢ２を出力させ、ＣＰＵ１５は当該出力値ＶＲ２、ＶＧ２、ＶＢ２を受信する。
【００６３】
ステップＳ１２０において、ＣＰＵ１５は、出力値ＶＢ２と出力値ＶＧ２との差の絶対値が０．１５Ｖ以下であるか否かを判定し、当該差の絶対値が０．１５Ｖ以下であると判定した場合（Ｓ１２０でＹＥＳ）、更に出力値ＶＲ２と出力値ＶＧ２との差の絶対値が０．１５Ｖ以下であるか否かを判定し（Ｓ１２１）、当該差の絶対値が０．１５Ｖ以下と判定した場合（Ｓ１２１でＹＥＳ）、更に出力値ＶＲ２と出力値ＶＢ２の差の絶対値が０．１５Ｖ以下であるか否かを判定し（Ｓ１２２）、０．１５Ｖ以下と判定した場合（Ｓ１２２でＹＥＳ）、処理をステップＳ１２３に進める。
【００６４】
一方、ＣＰＵ１５は、出力値ＶＢ２と出力値ＶＧ２の差の絶対値が０．１５Ｖより大きいと判定した場合（Ｓ１２０でＮＯ）、出力値ＶＲ２と出力値ＶＧ２の差の絶対値が０．１５Ｖより大きいと判定した場合（Ｓ１２１でＮＯ）、又は、出力値ＶＲ２と出力値ＶＢ２との差の絶対値が０．１５Ｖより大きいと判定した場合（Ｓ１２２でＮＯ）、インターフェイス回路１０１を不良品であると判定する（図１１に示すステップＳ１５２）。
【００６５】
ステップＳ１２３において、信号生成部１３は、インターフェイス回路１０１に出力値ＶＲ５、ＶＧ５、ＶＢ５を出力させ、ＣＰＵ１５は当該出力値ＶＲ５、ＶＧ５、ＶＢ５を受信する。
【００６６】
ステップＳ１２４において、ＣＰＵ１５は、出力値ＶＢ５と出力値ＶＧ５との差の絶対値が０．１５Ｖ以下であるか否かを判定し、０．１５Ｖ以下と判定した場合（Ｓ１２４でＹＥＳ）、更に出力値ＶＲ５と出力値ＶＧ５との差の絶対値が０．１５Ｖ以下であるか否かを判定し（Ｓ１２５）、０．１５Ｖ以下と判定した場合（Ｓ１２５でＹＥＳ）、更に出力値ＶＲ５と出力値ＶＢ５の差の絶対値が０．１５Ｖ以下であるか否かを判定し（Ｓ１２６）、０．１５Ｖ以下と判定した場合（Ｓ１２６でＹＥＳ）、処理を図９に示すステップＳ１２７に進める。
【００６７】
一方、ＣＰＵ１５は、出力値ＶＢ５と出力値ＶＧ５の差の絶対値が０．１５Ｖより大きいと判定した場合（Ｓ１２４でＮＯ）、出力値ＶＲ５と出力値ＶＧ５の差の絶対値が０．１５Ｖより大きいと判定した場合（Ｓ１２５でＮＯ）、又は、出力値ＶＲ５と出力値ＶＢ５との差の絶対値が０．１５Ｖより大きいと判定した場合（Ｓ１２６でＮＯ）、インターフェイス回路１０１は不良品であると判定する（図１１に示すステップＳ１５２）。
【００６８】
図９に示すステップＳ１２７において、信号生成部１３は、インターフェイス回路１０１に出力値ＶＢ９、ＶＧ９を出力させ、ＣＰＵ１５は、当該出力値ＶＢ９、ＶＧ９を受信する。
【００６９】
ステップＳ１２８において、ＣＰＵ１５は、出力値ＶＢ９と出力値ＶＧ９との差の絶対値が０．１５Ｖ以下であるか否かを判定し（Ｓ１２８）、０．１５Ｖ以下と判定した場合（Ｓ１２８でＹＥＳ）、処理をステップＳ１２９に進め、０．１５Ｖより大きいと判定した場合（Ｓ１２８でＮＯ）、出力値ＶＢ９から出力値ＶＧ９を減じた値が０．１５Ｖより大きいか否かを判定し（Ｓ１３０）、０．１５Ｖより大きいと判定した場合（Ｓ１３０でＹＥＳ）、Ｂ映像信号のコントラストを１段階減少させる（Ｓ１３１）。一方、ＣＰＵ１５が、出力値ＶＢ９から出力値ＶＧ９を減じた値が０．１５Ｖ以下と判定した場合（Ｓ１３０でＮＯ）、コントラスト調整部２０はＢ映像信号のコントラストを１段階増大させる（Ｓ１３３）。ここで、コントラストの調整は、所定の刻み幅で段階的に調整することが可能であり、コントラスト調整部２０は、コントラストを増大させる場合は、刻み幅を１段階上昇させ、コントラストを減少させる場合は、刻み幅を１段階下降させる。
【００７０】
ステップＳ１３２において、ＣＰＵ１５により、出力値ＶＢ１０が予め定められた値域（３．７Ｖ以上３．９Ｖ以下）に属すると判定された場合（Ｓ１３２でＹＥＳ）、処理がステップＳ１２７に戻され、出力値ＶＢ１０が前記値域に属しないと判定された場合（Ｓ１３２でＮＯ）、ＣＰＵ１５は、インターフェイス回路１０１を不良品と判定する（図１１に示すＳ１５２）。
【００７１】
ステップＳ１３４において、ＣＰＵ１５により、出力値ＶＲ９と出力値ＶＧ９との差の絶対値が０．１５Ｖ以下と判定された場合（Ｓ１３４でＹＥＳ）、ＣＰＵ１５はインターフェイス回路１０１を良品と判定する（図１１に示すＳ１５１）。すなわち、ステップＳ１２８、Ｓ１３４の処理において、出力値ＶＢ９と出力値ＶＧ９との差の絶対値が０．１５Ｖ以下、かつ、出力値ＶＲ９と出力値ＶＧ９との差の絶対値が０．１５Ｖ以下の場合、ＣＰＵ１５は、インターフェイス回路１０１を良品と判定する。
【００７２】
ステップＳ１２９において、信号生成部１３は、インターフェイス回路１０１から出力値ＶＲ９、ＶＧ９を出力させ、ＣＰＵ１５は、当該出力値ＶＲ９、ＶＧ９を受信する。
【００７３】
ステップＳ１３４において、ＣＰＵ１５により出力値ＶＲ９と出力値ＶＧ９との差の絶対値が０．１５Ｖより大きいと判定された場合（Ｓ１３４でＮＯ）、ＣＰＵ１５は、出力値ＶＲ９から出力値ＶＧ９を減じた値が０．１５Ｖより大きいか否かを判定し（Ｓ１３５）、０．１５Ｖより大きいと判定した場合（Ｓ１３５でＹＥＳ）、コントラスト調整部２０は、Ｒ映像信号のコントラストを１段階減少させ（Ｓ１３６）、一方０．１５Ｖ以下と判定した場合（Ｓ１３５でＮＯ）、コントラスト調整部２０は、Ｒ映像信号のコントラストを１段階増大させる（Ｓ１３８）。
【００７４】
ステップＳ１３７において、ＣＰＵ１５により、出力値ＶＲ１０が予め定められた値域（３．７Ｖ以上３．９Ｖ以下）に属すると判定された場合（Ｓ１３７でＹＥＳ）、処理がステップＳ１３４に戻され、出力値ＶＲ１０が前記値域に属さないと判定された場合、ＣＰＵ１５は、インターフェイス回路１０１を不良品と判定する（図１１に示すステップＳ１５２）。
【００７５】
ステップＳ１３９において、信号生成部１３は、インターフェイス回路１０１に出力値ＶＲ９、ＶＢ９を出力させ、ＣＰＵ１５は当該出力値ＶＲ９、ＶＢ９を受信する。ステップＳ１４０において、ＣＰＵ１５は、出力値ＶＲ９と出力値ＶＢ９との差の絶対値が０．１５Ｖ以下であるか否かを判定し、当該絶対値が０．１５Ｖ以下と判定した場合（Ｓ１４０でＹＥＳ）、ＣＰＵ１５は、インターフェイス回路１０１を良品と判定する（図１１に示すＳ１５１）。一方、ステップＳ１４０において、ＣＰＵ１５は、出力値ＶＲ９と出力値ＶＢ９との差の絶対値が０．１５Ｖより大きいと判定した場合（Ｓ１４０でＮＯ）、処理をステップＳ１４１に進める。
【００７６】
ステップＳ１４１において、ＣＰＵ１５が、出力値ＶＢ９から出力値ＶＧ９を減じた値が０．０７Ｖより大きいと判定した場合（Ｓ１４１でＹＥＳ）、コントラスト調整部２０は、Ｂ映像信号のコントラストを１段階減少させる（Ｓ１４２）。一方、ＣＰＵ１５が、出力値ＶＢ９から出力値ＶＧ９を減じた値が０．０７Ｖ以下と判定した場合（Ｓ１４１でＮＯ）、ＣＰＵ１５は、出力値ＶＢ９から出力値ＶＧ９を減じた値が−０．０７Ｖより小さいか否かを判定し（Ｓ１４３）、−０．０７Ｖより小さいと判定した場合（Ｓ１４３でＹＥＳ）、コントラスト調整部２０は、Ｂ映像信号のコントラストを１段階増大させる。一方、ステップＳ１４３において、ＣＰＵ１５により、出力値ＶＢ９から出力値ＶＧ９を減じた値が−０．０７Ｖ以上と判定された場合（Ｓ１４３でＮＯ）、処理がステップＳ１４５に進められる。
【００７７】
ステップＳ１４５において、ＣＰＵ１５により出力値ＶＢ１０が予め定められた値域（３．７Ｖ以上３．９Ｖ以下）に属すると判定された場合（Ｓ１４５でＹＥＳ）、処理が図１１に示すステップＳ１４６に進められ、一方、ステップＳ１４５において、ＣＰＵ１５により出力値ＶＢ１０が前記値域に属さないと判定された場合（Ｓ１４５でＮＯ）、ＣＰＵ１５は、インターフェイス回路１０１を不良品と判定する（図１１に示すＳ１５２）。
【００７８】
図１１に示すステップＳ１４６において、ＣＰＵ１５により出力値ＶＲ９から出力値ＶＧ９を減じた値が０．０７Ｖより大きいと判定された場合（Ｓ１４６でＹＥＳ）、コントラスト調整部２０はＲ映像信号の１段階減少させる（Ｓ１４７）。一方、ステップＳ１４６において、ＣＰＵ１５により出力値ＶＲ９から出力値ＶＧ９を減じた値が０．０７Ｖ以下と判定された場合（Ｓ１４６でＮＯ）、ＣＰＵ１５は、出力値ＶＲ９から出力値ＶＧ９を減じた値が−０．０７Ｖより小さいか否かを判定し（Ｓ１４８）、−０．０７Ｖよりも小さいと判定した場合（Ｓ１４８でＹＥＳ）、コントラスト調整部２０は、Ｒ映像信号のコントラストを１段階増大させ（Ｓ１４９）、−０．０７Ｖよりも大きいと判定した場合（Ｓ１４８でＮＯ）、処理がステップＳ１５０に進められる。
【００７９】
ステップＳ１５０において、ＣＰＵ１５により出力値ＶＲ１０が予め定められた値域（３．７Ｖ以上３．９Ｖ以下）に属すると判定された場合（Ｓ１５０でＹＥＳ）、処理が図１０に示すステップＳ１３９に戻され、出力値ＶＲ１０が前記値域に属さないと判定された場合（Ｓ１５０でＮＯ）、ＣＰＵ１５は、インターフェイス回路１０１を不良品と判定する（Ｓ１５２）。
【００８０】
以上説明したように、第２実施形態による検査装置１０ａによれば、出力値ＶＢ９と出力値ＶＧ９との差の絶対値が０．１５Ｖを超える、又は、出力値ＶＲ９と出力値ＶＧ９との差の絶対値が０．１５Ｖを超える場合であっても、これら差の絶対値が０．１５Ｖとなるように映像信号のコントラストが調整されているため、インターフェイス回路１０１の歩留まりを向上させることができる。
【図面の簡単な説明】
【００８１】
【図１】カーナビゲーションシステムに第１実施形態による検査装置を接続したときのブロック図を示している。
【図２】インターフェイス回路のガンマ特性曲線を示したグラフであり、縦軸はインターフェイス回路から出力される出力映像信号の電圧値を示し、横軸はインターフェイス回路に入力される入力映像信号の階調値を示している。
【図３】第１実施形態による検査装置の動作を示すフローチャートである。
【図４】第１実施形態による検査装置の動作を示すフローチャートである。
【図５】第１実施形態による検査装置の動作を示すフローチャートである。
【図６】カーナビゲーションシステムに第２実施形態による検査装置を接続したときのブロック図を示している。
【図７】第２実施形態による検査装置の動作を示すフローチャートである。
【図８】第２実施形態による検査装置の動作を示すフローチャートである。
【図９】第２実施形態による検査装置の動作を示すフローチャートである。
【図１０】第２実施形態による検査装置の動作を示すフローチャートである。
【図１１】第２実施形態による検査装置の動作を示すフローチャートである。
【図１２】カーナビゲーションシステムのインターフェイス回路の検査時における機器構成を示したブロック図である。
【図１３】モニタに表示されるグラフを示し、（ａ）〜（ｃ）はそれぞれＲ，Ｇ，Ｂに対応している。
【符号の説明】
【００８２】
１０  検査装置
１１  モニタ
１２  操作部
１３  信号生成部
１４  コネクタ
１５  ＣＰＵ
１６  ＲＯＭ
１７  ＲＡＭ
１８  最大値調整部
１９  ブライトネス調整部
２０  コントラスト調整部
１０１  インターフェイス回路
１０２  表示装置
１０３  制御装置
１０４  周辺装置
１０５  コネクタ
【図１】
2006074156.tif 000003
【図２】
2006074156.tif 000004
【図３】
2006074156.tif 000005
【図４】
2006074156.tif 000006
【図５】
2006074156.tif 000007
【図６】
2006074156.tif 000008
【図７】
2006074156.tif 000009
【図８】
2006074156.tif 000010
【図９】
2006074156.tif 000011
【図１０】
2006074156.tif 000012
【図１１】
2006074156.tif 000013
【図１２】
2006074156.tif 000014
【図１３】
2006074156.tif 000015